(57)【要約】【課題】電子ズーム時でもホワイトバランスが適正に行われる制御方法を備えた撮像装置を提供する。【解決手段】被写体の光学画像を集光するレンズ１と、レンズ１により集光された光束を集束する絞り部２と、レンズを移動させて合焦したり、絞り部２を駆動するモータドライバ１１と、光学画像を光電変換するＣＣＤ３と、ＣＣＤ３に含まれる雑音を低減するＣＤＳ４と、アナログ信号をデジタル信号に変換するＡ／Ｄ変換器５と、タイミングを発生するタイミング発生器１３と、画像処理パラメータに従って画像処理を行うデジタル信号処理回路７と、撮像画素の記録と画像処理された画像を記憶するフレームメモリ６と、液晶により撮像画像を表示する表示部８と、圧縮された画像データを格納するメモリカード１０と、制御プログラムに基づいて所定の制御を実行するＣＰＵ１４と、操作者がカメラ本体を操作するためのカメラ操作部１７により構成される。【選択図】　　　図１
2004064676.tif 000002
【特許請求の範囲】
【請求項１】
光学像を電気的な画像信号に変換する撮像手段と、前記画像信号に基づいてホワイトバランス制御用の特徴検出を行う特徴検出手段と、該特徴検出手段の結果を用いてホワイトバランス制御を行うホワイトバランス制御手段と、を備えた撮像装置において、
前記撮像手段に基づく画像信号のズーム領域を選択するズーム領域選択手段と、該ズーム領域選択手段により選択された領域の画像信号を表示する表示手段と、ホワイトバランス制御用の特徴検出を行う領域を選択する特徴検出領域選択手段と、を更に備え、
前記特徴検出領域選択手段は、前記撮像手段により撮像された領域と前記ズーム領域選択手段により選択された領域に基づいてホワイトバランス制御用の特徴検出を行う領域を選択することを特徴とする撮像装置。
【請求項２】
前記ホワイトバランス制御手段は、前記特徴検出領域選択手段が選択する特徴検出領域と、前記ズーム領域選択手段が選択するズーム領域とを同一領域とするか否かを選択可能としたことを特徴とする請求項１に記載の撮像装置。
【請求項３】
前記特徴検出手段が、前記特徴検出領域内を複数のエリアに分割し、該エリアの夫々で特徴抽出を行う特徴検出手段であり、前記ズーム領域と前記特徴検出領域を一致させるモードを選択している場合、前記ホワイトバランス制御手段は、前記ズーム領域に含まれない領域の特徴検出結果を用いないでホワイトバランス制御を行うことを特徴とする請求項１乃至３の何れか一項に記載の撮像装置。
【請求項４】
前記特徴検出手段が、前記特徴検出領域内を複数のエリアに分割し、該エリアの夫々で特徴抽出を行う特徴検出手段であり、前記ズーム領域と前記特徴検出領域を一致させないモードを選択している場合、前記ホワイトバランス制御手段は、前記撮像手段により撮像された全ての領域からの特徴抽出結果を用いてホワイトバランス制御を行うことを特徴とする請求項１乃至３の何れか一項に記載の撮像装置。
【請求項５】
前記特徴検出手段が、前記特徴検出領域内を複数のエリアに分割し、該エリアの夫々で特徴抽出を行う特徴検出手段であり、前記特徴検出領域内で且つ前記ズーム領域内に含まれない領域の各エリアのデータに対してホワイトバランス制御への影響度合いを設定する重みづけ設定手段を更に備え、前記ズーム領域と特徴検出領域を一致させないモードが選択された場合、前記ホワイトバランス制御手段は、前記ズーム領域に含まれないエリアの特徴検出結果を前記重み付け設定手段で設定された重み付けによってホワイトバランス制御を行うことを特徴とする請求項１乃至３の何れか一項に記載の撮像装置。
【請求項６】
前記特徴検出手段が、前記特徴検出領域内を複数のエリアに分割し、該エリアの夫々で特徴抽出を行う特徴検出手段であり、撮影モードがマクロモード若しくはポートレートモードの場合、前記ホワイトバランス制御手段は、前記ズーム領域内に含まれないエリアの特徴検出結果と前記ズーム領域内の特徴検出結果の重み付けを前記重みづけ設定手段により同等にしてホワイトバランス制御を行うことを特徴とする請求項１乃至３の何れか一項に記載の撮像装置。
【請求項７】
前記特徴検出手段が、前記特徴検出領域内を複数のエリアに分割し、該エリアの夫々で特徴抽出を行う特徴検出手段であり、前記ズーム領域に含まれないエリアの特徴検出結果に高輝度の光源が含まれていた場合、前記ホワイトバランス制御手段は、前記エリアの重み付けを前記重みづけ設定手段により下げるように変更してホワイトバランス制御を行うことを特徴とする請求項１乃至３の何れか一項に記載の撮像装置。
【請求項８】
撮影までに電子ズームのフレーミングが確認できるライブビュー機能を備え、前記表示手段にてライブビュー画面を表示している状態で前記特徴検出領域選択手段の操作結果及び特定撮影条件に応じたホワイトバランス処理の結果が画面で確認できることを特徴とする請求項１乃至７の何れか一項に記載の撮像装置。
【発明の詳細な説明】
【０００１】
【発明の属する技術分野】
本発明は、撮像装置に関し、さらに詳しくは、ホワイトバランス制御に関するものである。
【０００２】
【従来の技術】
近年パーソナルコンピュータの発達と相まって、その画像入力装置としてのデジタルカメラの利用が広まってきた。特に、デジタルカメラは、特殊な技術をもたない撮影者が使用する場合がほとんどであり、撮影の失敗を無くすためにシャッター速度、露出、ピント合わせを被写体に合わせて自動的に設定するようになっているものが多い。また、一般に被写体は人物である場合が多く、人物特有の設定モードを特別に備えたデジタルカメラもある。このようなカメラで重要なことはホワイトバランス制御を如何に正確に行うかで、撮影結果の良否が決定される。電子撮像装置のホワイトバランス制御には、一般的に２つの方法が用いられている。第一に外部センサを用いて光源色を測定して、その測定された光源色にあわせたホワイトバランス制御を行う方法と、第二に撮像素子からの出力信号から色に関する特徴抽出を行い、その結果をもとにホワイトバランス制御を行う方法である。
【０００３】
【発明が解決しようとする課題】
従来の電子撮像装置では、ホワイトバランス制御のための画面特徴検出は、ＡＥと同様に選択された表示範囲について実行していた。この場合画面内だけから特徴を抽出するので、ポートレート撮影のように画面の多くの部分を肌色が占める場合、ホワイトバランスの光源色判断において、低色温度光源と誤判定してしまうことがある。
そこで、従来例として特開平７−２８４００３号公報では、電子ズーム倍率にあわせてＡＥ・ＡＦ・ＡＷＢ処理を実行する対象エリアを変更することにより、電子ズームエリアにあわせてＡＥ・ＡＦ・ＡＷＢ処理を実行する対象エリアを最適化するとしており、基本的に電子ズーム範囲内を対象として処理をしている。
また、特許第３２７８２０６号公報では、アスペクト比変換機能を有する撮像装置において、変換補正にあわせたホワイトバランスデータ抽出エリアを変更しており、これは、アスペクト変換にあわせたエリア補正であり、表示エリアの外側のデータをホワイトバランス制御に使うことはない。
本発明は、かかる課題に鑑み、電子ズーム時でもホワイトバランス制御が適正に行われる制御方法を備えた撮像装置を提供することを目的とする。
【０００４】
【課題を解決するための手段】
本発明はかかる課題を解決するために、請求項１は、光学像を電気的な画像信号に変換する撮像手段と、前記画像信号に基づいてホワイトバランス制御用の特徴検出を行う特徴検出手段と、該特徴検出手段の結果を用いてホワイトバランス制御を行うホワイトバランス制御手段と、を備えた撮像装置において、前記撮像手段に基づく画像信号のズーム領域を選択するズーム領域選択手段と、該ズーム領域選択手段により選択された領域の画像信号を表示する表示手段と、ホワイトバランス制御用の特徴検出を行う領域を選択する特徴検出領域選択手段と、を更に備え、前記特徴検出領域選択手段は、前記撮像手段により撮像された領域と前記ズーム領域選択手段により選択された領域に基づいてホワイトバランス制御用の特徴検出を行う領域を選択することを特徴をする。
電子ズーム動作時は、主要被写体が画面を占める割合が高くなる可能性がある。画面内の色の特徴を検出してホワイトバランスをするシステムにおいては、画面内に同じ色が多く含まれると、その色を被写体に照射されている光源色なのか、被写体自体の色なのか判断できない場合はある。この場合被写体色を白くしてしまうような誤動作が発生する。
かかる発明によれば、電子ズーム動作時も、表示している範囲よりも広い範囲から色情報を抽出することで、画面内の色情報を多く抽出することができ、誤動作が発生する可能性が低くすることができる。
請求項２は、前記ホワイトバランス制御手段は、前記特徴検出領域選択手段が選択する特徴検出領域と、前記ズーム領域選択手段が選択するズーム領域とを同一領域とするか否かを選択可能としたことを特徴とする。
請求項１により、多くの場合にホワイトバランス誤動作の確率を下げることができるが、悪影響を及ぼす可能性がある。そのため表示されている範囲と一致させることが任意に選択できれば、表示画面によりホワイトバランスに影響している被写体が特定でき、フレーミングを変更するなどの対策をたてやすくなる。
かかる発明によれば、表示されている範囲と一致させるか否かを任意に選択できるので、表示画面によりホワイトバランスに影響している被写体が特定でき、フレーミングを変更するなどの対策を立てることができる。
【０００５】
請求項３は、前記特徴検出手段が、前記特徴検出領域内を複数のエリアに分割し、該エリアの夫々で特徴抽出を行う特徴検出手段であり、前記ズーム領域と前記特徴検出領域を一致させるモードを選択している場合、前記ホワイトバランス制御手段は、前記ズーム領域に含まれない領域の特徴検出結果を用いないでホワイトバランス制御を行うことを特徴とする。
デジタルズームで選択している範囲の特徴抽出結果のみをホワイトバランス制御に使うモードでは、デジタルズーム範囲に含まれていない特徴抽出エリアのデータを用いずにホワイトバランス制御を行うものである。
かかる発明によれば、請求項１、２と同様の作用効果を奏する。
請求項４は、前記特徴検出手段が、前記特徴検出領域内を複数のエリアに分割し、該エリアの夫々で特徴抽出を行う特徴検出手段であり、前記ズーム領域と前記特徴検出領域を一致させないモードを選択している場合、前記ホワイトバランス制御手段は、前記撮像手段により撮像された全ての領域からの特徴抽出結果を用いてホワイトバランス制御を行うことを特徴とする。
かかる発明によれば、請求項１と同様の作用効果を奏する。
請求項５は、前記特徴検出手段が、前記特徴検出領域内を複数のエリアに分割し、該エリアの夫々で特徴抽出を行う特徴検出手段であり、前記特徴検出領域内で且つ前記ズーム領域内に含まれない領域の各エリアのデータに対してホワイトバランス制御への影響度合いを設定する重みづけ設定手段を更に備え、前記ズーム領域と特徴検出領域を一致させないモードが選択された場合、前記ホワイトバランス制御手段は、前記ズーム領域に含まれないエリアの特徴検出結果を前記重み付け設定手段で設定された重み付けによってホワイトバランス制御を行うことを特徴とする。
デジタルズームフレーミング範囲外も用いてホワイトバランス制御を行うモードが選択されている場合に、フレーミング範囲内のエリアと、フレーミング範囲内に一部が含まれているエリアと、フレーミング範囲外のエリアとのそれぞれのエリアからの特徴抽出結果について、ホワイトバランス制御に対する影響度合いを変更するものである。
かかる発明によれば、重みづけを行うことにより、フレーミングされている範囲内を重点的に使い、なおかつフレーミング範囲外のデータも有効に使うことで、安定したホワイトバランス制御ができる。
【０００６】
請求項６は、前記特徴検出手段が、前記特徴検出領域内を複数のエリアに分割し、該エリアの夫々で特徴抽出を行う特徴検出手段であり、撮影モードがマクロモード若しくはポートレートモードの場合、前記ホワイトバランス制御手段は、前記ズーム領域内に含まれないエリアの特徴検出結果と前記ズーム領域内の特徴検出結果の重み付けを前記重みづけ設定手段により同等にしてホワイトバランス制御を行うことを特徴とする。
ポートレートモードなどでは、画面内に人物が入ってくる確率が高い。この場合はズーム領域に含まれない領域のエリアを使ったほうが有効である。
かかる発明によれば、設定されているモードによって被写体が特定できる撮影条件により重み付けを自動で設定することで、より正確なホワイトバランス制御が可能になる。
請求項７は、前記特徴検出手段が、前記特徴検出領域内を複数のエリアに分割し、該エリアの夫々で特徴抽出を行う特徴検出手段であり、前記ズーム領域に含まれないエリアの特徴検出結果に高輝度の光源が含まれていた場合、前記ホワイトバランス制御手段は、前記エリアの重み付けを前記重みづけ設定手段により下げるように変更してホワイトバランス制御を行うことを特徴とする。
ＡＥの測光結果で、画面一部に非常に高輝度部分があった場合、その部分には光源が含まれている可能性がある。被写体背景に光源がある場合、その光源と被写体に照射されている光源とが異なった色合いの可能性がある。この場合、この高輝度エリアのデータを使わないほうが、正確なホワイトバランス制御ができる。
かかる発明によれば、特に周囲と異なった状態にあるエリアについては、重み付けを下げるなどの重み付けを変更することで、安定したホワイトバランス制御ができる。
請求項８は、撮影までに電子ズームのフレーミングが確認できるライブビュー機能を備え、前記表示手段にてライブビュー画面を表示している状態で前記特徴検出領域選択手段の操作結果及び特定撮影条件に応じたホワイトバランス処理の結果が画面で確認できることを特徴とする。
かかる発明によれば、撮影前のライブビュー状態で特徴抽出範囲切り替えや撮影条件変更を行うことで、撮影時のホワイトバランス制御結果が予測でき、失敗撮影を減らすことができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態のデジタルスカメラのブロック図である。このデジタルスカメラは、被写体の光学画像を集光するレンズ１と、レンズ１により集光された光束を集束する絞り部２と、図示しない複数のレンズを移動させて合焦したり、絞り部２を駆動するモータドライバ１１と、レンズ１と絞り部２を通過した光学画像を光電変換するＣＣＤ（Ｃｈａｒｇｅ　Ｃｏｕｐｌｅｄ　Ｄｅｖｉｃｅ：電荷結合素子）３と、ＣＣＤ３に含まれる雑音を低減するＣＤＳ（Ｃｏｒｒｅｌａｔｅｄ　Ｄｏｕｂｌｅ　Ｓａｍｐｌｉｎｇ）４と、ＣＣＤ３からのアナログ信号をデジタル信号に変換するＡ／Ｄ変換器５と、ＣＣＤ３、ＣＤＳ４、Ａ／Ｄ変換器５のタイミングを発生するタイミング発生器１３と、画像処理パラメータに従って画像処理を行うデジタル信号処理回路７と、撮像画素の記録と画像処理された画像を記憶するフレームメモリ６と、液晶（ＬＣＤ：Ｌｉｑｕｉｄ　Ｃｒｙｓｔａｌ　Ｄｉｓｐｌａｙ）により撮像画像を表示する表示部８と、デジタル信号処理回路７で処理された画像データを圧縮あるいは原画像データに伸張する画像圧縮伸張回路９と、画像圧縮伸張回路９により圧縮された画像データを格納するメモリカード１０と、制御プログラムに基づいて所定の制御を実行するＣＰＵ１４と、操作者がカメラ本体を操作するためのレリーズボタン等を備えたカメラ操作部１７により構成される。
【０００８】
次に、図１を参照しながら、本構成のデジタルスチルカメラ１００の動作概要について説明する。操作者は図示しないファインダから被写体を覗き、カメラ操作部１７のレリーズボタンを押すと、ＣＰＵ１４はその信号を検出してモータドライバ１１に対してレンズ１と絞り２を駆動して、被写体の画像をＣＣＤ３に合焦させる。これらの一連の動作は、自動的にＣＰＵ１４が図示しないセンサの情報に基づいて行われる。ＣＣＤ３に合焦された画像は、タイミング発生器１３から発生されるクロックにより順次取り出され、ＣＤＳ４によりデータに含まれる雑音を低減する。ここで、ＣＣＤ３の出力信号に含まれる雑音は、リセット雑音が支配的である。この雑音を低減するために信号期間に含まれる映像信号とリセット雑音及び、フィールドスルー期間のみに含まれるリセット雑音から両者を引き算することによりリセット雑音をキャンセルしている。そして、そのアナログ信号をＡ／Ｄ変換器５により１０ビットのデジタル信号に変換して、デジタル信号処理回路７に入力され、フレームメモリ６に一時保管される。そして、図示しないメモリに格納されたパラメータにより、ＣＰＵ１４からの指示によりフレームメモリ６に一時保管されたデータを処理し、その処理された画像をフレームメモリ６に再び格納する。この処理の中にホワイトバランス処理が含まれる。さらに、フレームメモリ６に書き込まれたデータを表示部８の制御部に送り、ＬＣＤにその内容を表示する。フレームメモリ６は、少なくとも撮像画素の１画面以上の画像データを蓄積することができる画像メモリであり、例えば、ＶＲＡＭ（Ｖｉｄｅｏ　Ｒａｎｄｏｍ　Ａｃｃｅｓｓ　Ｍｅｍｏｒｙ）、ＳＲＡＭ（Ｓｔａｔｉｃ　Ｒａｎｄｏｍ　Ａｃｃｅｓｓ　Ｍｅｍｏｒｙ）、ＤＲＡＭ（Ｄｙｎａｍｉｃ　Ｒａｎｄｏｍ　Ａｃｃｅｓｓ　Ｍｅｍｏｒｙ）　、あるいはＳＤＲＡＭ（Ｓｙｎｃｈｒｏｎｏｕｓ　ＤＲＡＭ）などの一般に用いられているメモリを用いる。
ここで、操作者の意思により、その画像をメモリカード１０に記録しておきたい場合、カメラ操作部１７から指示をすると、ＣＰＵ１４はそれに従って、デジタル信号処理回路７に対して画像をメモリカード１０に転送する制御を実行する。つまり、画像処理された画像をフレームメモリ６から読み出し、画像圧縮伸張回路９に送る。ここで、ＪＰＥＧ（Ｊｏｉｎｔ　Ｐｈｏｔｏｇｒａｐｈｉｃ　Ｅｘｐｅｒｔｓ　Ｇｒｏｕｐ）方式で画像を圧縮し、メモリカード１０に記憶する。この符号化アルゴリズムにはＡＤＣＴ（適応離散コサイン）を用い、最初に解像度の低い画像を符号化し、次第に解像度が高くなるような階層符号化も取り入れられる。このようにメモリカード１０は、フレームメモリ６に格納されたデータを圧縮し、その圧縮データを格納しておくためのものである。この他に、例えば８ＭＢ程度の内部メモリあるいはスマートメディア・コンパクトフラッシュ（登録商標）などに記録する構成であってもよい。
また、逆にメモリカード１０の内容を表示部８に表示する場合や、外部端子により他のＰＣと接続して画像データを転送したい場合は、所望のメモリカードをカメラ本体の図示しないコネクタに挿入して、カメラ操作部１７から指示すると、ＣＰＵ１４はデジタル信号処理回路７に指示してメモリカードの圧縮された画像データを読み出し、画像圧縮伸張回路９に入力して、圧縮のアルゴリズムに従ってデータを伸張して元に戻し、表示部８に画像を表示する。
【０００９】
次にＡＷＢ制御の基本動作を簡単に説明する。レンズ１を介した被写体像は、ＣＣＤ３に入射し、ＣＣＤ３は、被写体像を電気信号（アナログ画像データ）に変換して、Ｒ、Ｇ、Ｂのアナログ画像データを出力する。このアナログ画像データはＡ／Ｄ変換器５によってＲ，Ｇ，Ｂのデジタル画像信号に変換される。変換されたデジタル画像データはフレームメモリ６に保管される。信号処理回路７はデジタル画像データを取り込む際にＣＣＤ−Ｉ／Ｆ１２で特定部分、又は画面全体のＲ，Ｇ，Ｂの積算値を読み出す。制御部であるＣＰＵ１４は、このＲＧＢ積算値を読みだし、特徴検出を行い適正なホワイトバランスになるようなホワイトバランスのゲインＲｇとＢｇを算出する。ＹＵＶ変換部１５では、Ｒ，Ｇ，Ｂデータを輝度Ｙと色差Ｃｂ、Ｃｒデータに変換してフレームメモリ６に出力する。この画像変換をする際に、ＣＰＵ１４からＹＵＶ変換部１５に対して、ホワイトバランスゲインＲｇ、Ｂｇを設定する。フレームメモリ６に蓄積されたデータは、信号処理回路７内の画像圧縮伸張回路９に読み込まれ、例えばＪＰＥＧ圧縮により圧縮される。圧縮されたデータはメモリカード１０に記録される。
【００１０】
図２は本発明の第１の実施形態の電子ズーム動作を説明する図である。カメラ操作部１７において電子ズームが設定された場合、ＣＣＤ−Ｉ／Ｆ１２は設定された電子ズーム範囲２０のみを撮像範囲としてフレームメモリ６へ出力する。フレームメモリ６に一時保管されたデータは上記のように画像処理されて、表示部８で表示される。ここではＣＣＤ−Ｉ／Ｆ１２でのデータをフレームメモリ６に取り込む範囲を限定することで電子ズームを説明したが、フレームメモリ６への取り込みは通常どうりに行い、ＹＵＶ変換時、または表示用のデータ読み出し時に一部領域を拡大して表示することによっても電子ズームは実現できる。
本発明では、電子ズームが選択されていても、ＣＣＤ−Ｉ／Ｆ１２では撮像したデータ全体の領域２１に対してのＲＧＢ積算を行い、これをもとにＡＷＢ動作をするものである。ズーム倍率が上がり、特定被写体、例えば人物２２が画面に占める割合が多くなると、人物の肌色がＡＷＢの画面特徴検出に影響してしまうが、ＣＣＤ３の撮像データ（領域２１）を全て使ってＲＧＢ積算をすることで、ズームアップによるＡＷＢへの影響を排除することができる。
【００１１】
図３は、本発明の第２の実施形態の撮像素子全範囲と電子ズーム範囲を説明する図である。本発明では、電子ズーム範囲２４とホワイトバランスの画面特徴抽出範囲を一致させるかどうか選択できるようにしたものである。画面特徴抽出範囲を狭くしない方が誤動作の可能性は低くなるが、フレーミングしている範囲外に特定の色が占めている場合、画面全体から特徴抽出することで、逆によくない結果になる場合がある。図３にあるように、フレーミングされている範囲外２３に赤い光源２６などがあると、ホワイトバランスはその赤い光源の影響を受けて画面を青い方向にシフトする制御をしてしまい、誤動作の原因となる。また例えば青空に浮かぶ雲を撮影している場合など、雲をズームアップしてその範囲から特徴抽出すれば、雲の白を白くするように制御できるが、雲以外の青空からのデータ使ってしまうと、青空を白くする方向にホワイトバランスが制御してしまい、雲が黄色になるような誤動作をしてしまう可能性がある。その場合は電子ズームでフレーミングしている画面２３から特徴抽出を行い、ホワイトバランスを行うように変更できる。
【００１２】
図４は、本発明の第３の実施形態の電子ズーム動作を説明する図である。（ａ）は分割した特徴検出エリアの図であり、特徴検出エリア３１を符号３０の単位で分割し、特徴検出手段がこのエリア３０の夫々で特徴抽出を行う。（ｂ）はズーム領域３４と前記特徴検出領域３５を一致させるモードを選択している場合の図である。そしてホワイトバランス制御は、ズーム領域３４に含まれない領域３３の特徴検出結果を用いないでホワイトバランス制御を行うことを特徴とする。
また、デジタルズームで選択している範囲外の特徴抽出結果も用いてホワイトバランス制御に使うモードでは、斜線部３３のデータも用いてホワイトバランス制御を行うものである。
【００１３】
図５は、本発明の第４の実施形態の電子ズーム動作を説明する図である。ＣＣＤ出力範囲４４とその内側に特徴抽出範囲４３と、実線内の電子ズーム範囲４５があり、デジタルズームフレーミング範囲外も用いてホワイトバランス制御を行うモードが選択されている場合に、図５に示すように、フレーミング範囲内のブロック４０と、フレーミング範囲内に一部が含まれているブロック４１と、フレーミング範囲外のブロック４２とのそれぞれのブロックからの特徴抽出結果について、ホワイトバランス制御に対する影響度合いを変更するものである。例えば、フレーミング範囲内のブロックデータについては１倍、一部がフレーミング範囲内のブロックデータについては０．６倍、フレーミング範囲外のブロックデータについては０．３倍するなどの重みづけを行い、フレーミングされている範囲内４０を重点的に使い、なおかつフレーミング範囲外４２のデータも有効に使うことで、安定したホワイトバランス制ができる。
また、他の実施形態として、撮影条件によってフレーミング範囲外４２のデータの影響度合いを変更するものである。例えば、マクロモードやポートレートモードなどの撮影モードが選択できるカメラの場合、ポートレートモードでは画面内に人物４５が入っている可能性が高く、電子ズーム時はフレーミング範囲内に人物が占める割合が高くなる可能性が高くなる。そのためポートレートモード選択時はフレーミングされている範囲外のブロック４２から抽出された特徴データを、フレーミング範囲内４０のデータと同等の重み付けでホワイトバランス制御を行ったほうが安定したホワイトバランス制御ができる可能性高くなる。また、マクロモードでは、接写撮影される可能性が高く、この場合も画面内に特定の物体の特定色が占有する可能性が高くなる。この場合も電子ズームでフレーミングされている範囲外４２のデータの重み付けを、フレーミング範囲内４０のデータと同等にしたほうが、安定したホワイトバランス制御をできる可能性が高くなる。
【００１４】
図６は本発明の第５の実施形態の電子ズーム動作を説明する図である。例えば撮影条件として、ＡＥの測光結果などを用いることができる。ＡＥの測光結果で、図６のように画面一部に非常に高輝度部分５０があった場合、その部分には光源が含まれている可能性がある。光源が写っている場合、つまりカメラ側に向いている光源であるから、被写体５１に照射されている光源と異なった色合いの可能性がある。この場合は、高輝度と判定されたエリア５０のブロックデータを使わないほうが、正確なホワイトバランス制御ができる。そのため特に周囲と異なった状態にあるエリアについては、重み付けを下げるなどして重み付けを変更することで安定したホワイトバランス制御ができる。
また、フレーミング範囲外を使うことの選択や、重み付けを切り替えた結果を表示部で確認するようにして、撮影前のライブビュー状態で結果を確認して範囲の切り替えを行うことで、失敗撮影を減らすことができる。
【００１５】
【発明の効果】
以上記載のごとく請求項１の発明によれば、電子ズーム動作時も、表示している範囲よりも広い範囲から色情報を抽出することで、画面内の色情報を多く抽出することができ、誤動作が発生する可能性が低くすることができる。
また請求項２では、表示されている範囲と一致させるか否かを任意に選択できるので、表示画面によりホワイトバランスに影響している被写体が特定でき、フレーミングを変更するなどの対策を立てることができる。
また請求項３では、請求項１、２と同様の作用効果を奏する。
また請求項４では、請求項１と同様の作用効果を奏する。
また請求項５では、重みづけを行うことにより、フレーミングされている範囲内を重点的に使い、なおかつフレーミング範囲外のデータも有効に使うことで、安定したホワイトバランス制御ができる。
また請求項６では、設定されているモードによって被写体が特定できる撮影条件により重み付けを自動で設定することで、より正確なホワイトバランス制御が可能になる。
また請求項７では、特に周囲と異なった状態にあるエリアについては、重み付けを下げるなどの重み付けを変更することで、安定したホワイトバランス制御ができる。
また請求項８では、撮影前のライブビュー状態で特徴抽出範囲切り替えや撮影条件変更を行うことで、撮影時のホワイトバランス制御結果が予測でき、失敗撮影を減らすことができる。
【図面の簡単な説明】
【図１】本発明の実施形態のデジタルスカメラのブロック図である。
【図２】本発明の第１の実施形態の電子ズーム動作を説明する図である。
【図３】本発明の第２の実施形態の撮像素子全範囲と電子ズーム範囲を説明する図である。
【図４】本発明の第３の実施形態の電子ズーム動作を説明する図である。
【図５】本発明の第４の実施形態の電子ズーム動作を説明する図である。
【図６】本発明の第５の実施形態の電子ズーム動作を説明する図である。
【符号の説明】
１　レンズ、２　絞り部、３　ＣＣＤ、４　ＣＤＳ、５　Ａ／Ｄ変換器、６　フレームメモリ、７　デジタル信号処理回路、８　表示部、１０　メモリカード、１１　モータドライバ、１４　ＣＰＵ、１７　カメラ操作部
【図１】
2004064676.tif 000003
【図２】
2004064676.tif 000004
【図３】
2004064676.tif 000005
【図４】
2004064676.tif 000006
【図５】
2004064676.tif 000007
【図６】
2004064676.tif 000008